(57)【要約】  番組を視聴中に別のチャンネルでお勧め番組が開始されたときに、自動的に２画面表示を行い、分かりやすく効果的にユーザーに通知することが可能な番組推薦機能を搭載した映像受信装置及び番組推薦方法が提供される。この映像受信装置は、番組情報を蓄積する番組情報蓄積手段と、視聴中番組の番組情報を取得する視聴情報取得手段と、放送中又は所定時間内に放送予定のお勧め番組を特定する番組推薦手段と、番組推薦手段からの情報に基づいて、お勧め番組のチャンネル及び視聴中番組のチャンネルの２画面表示を行う画面表示手段とを備える。この番組推薦方法は、番組情報を蓄積するステップと、視聴中番組の番組情報を取得するステップと、現在放送中又は所定時間内に放送予定のお勧め番組を特定するステップと、特定されたお勧め番組及び視聴中番組を２画面表示するステップとを備える。
2007519289.tif 000002
【特許請求の範囲】
【請求項１】
番組情報を蓄積する番組情報蓄積手段と、
視聴中番組の番組情報を取得する視聴情報取得手段と、
前記番組情報蓄積手段からの番組情報、前記視聴情報取得手段からの視聴中番組の番組情報及び所定のお勧め基準に基づいて、現在放送中又は所定時間内に放送予定のお勧め番組を特定する番組推薦手段と、
前記番組推薦手段からの情報に基づいて、前記お勧め番組及び前記視聴中番組を２画面表示する画面表示手段と
を具備する映像受信装置。
【請求項２】
前記番組推薦手段は、前記お勧め番組が前記視聴中番組と一致するか否かを判断し、
前記画面表示手段は、前記番組推薦手段が前記お勧め番組が前記視聴中番組と一致しないと判断する場合のみ２画面表示を行う
請求項１記載の映像受信装置。
【請求項３】
ユーザー入力を受け付けるユーザー入力手段を更に具備し、
前記画面表示手段は、前記ユーザー入力手段からの入力情報に基づいて、前記お勧め番組又は前記視聴中番組の何れか一方の１画面表示に切り替える
請求項１又は請求項２記載の映像受信装置。
【請求項４】
番組情報を蓄積するステップと、
視聴中番組の番組情報を取得するステップと、
前記蓄積された番組情報、前記視聴中番組の番組情報及び所定のお勧め基準に基づいて、現在放送中又は所定時間内に放送予定のお勧め番組を特定するステップと、
前記特定されたお勧め番組及び前記視聴中番組を２画面表示するステップと
を具備する番組推薦方法。
【請求項５】
前記２画面表示するステップは、前記お勧め番組が前記視聴中番組に一致しない場合に、前記お勧め番組及び前記視聴中番組の２画面表示を行う
請求項４記載の番組推薦方法。
【請求項６】
ユーザー入力に基づいて、前記２画面表示から、前記お勧め番組又は前記視聴中番組の何れか一方の１画面表示に切り替えるステップを更に具備する
請求項４又は請求項５記載の番組推薦方法。
【発明の詳細な説明】
【技術分野】
【０００１】
本発明は、電子番組表の番組情報を蓄積し、ユーザーの視聴履歴情報や嗜好情報を基にユーザーにお勧めの番組を提供する番組推薦機能を搭載した映像受信装置及び番組推薦方法に関する。
【背景技術】
【０００２】
従来、電子番組表の番組情報を蓄積可能な映像受信装置において、ユーザーの「視聴した番組」や「好んで視聴する傾向のある番組」等の情報を基に、番組推薦処理を行い、お勧め番組の結果表示や自動録画を行う等の機能を提供する映像受信装置が実現されている。このような映像受信装置は、例えば、特開平１０−２５７４０５号公報に開示されている。
【発明の開示】
【０００３】
映像受信装置は
番組情報を蓄積する番組情報蓄積手段と、
視聴中番組の番組情報を取得する視聴情報取得手段と、
番組情報蓄積手段からの番組情報、視聴情報取得手段からの視聴中番組の番組情報及び所定のお勧め基準に基づいて、現在放送中又は所定時間内に放送予定のお勧め番組を特定する番組推薦手段と、
番組推薦手段からの情報に基づいて、お勧め番組及び視聴中番組を２画面表示する画面表示手段と
を具備する。
【０００４】
番組推薦方法は
番組情報を蓄積するステップと、
視聴中番組の番組情報を取得するステップと、
蓄積された番組情報、視聴中番組の番組情報及び所定のお勧め基準に基づいて、現在放送中又は所定時間内に放送予定のお勧め番組を特定するステップと、
特定されたお勧め番組及び視聴中番組を２画面表示するステップと
を具備する。
【発明を実施するための最良の形態】
【０００５】
映像受信装置では、番組を視聴中に別のチャンネルでお勧め番組が開始されたときに、分かりやすく効果的にユーザーに通知する必要がある。
【０００６】
そこで、番組を視聴中に別のチャンネルでお勧め番組が開始したときにユーザーにお勧め番組を通知する方法として、番組名や開始時間、チャンネル名等を記載したメッセージによりお勧め番組の開始を通知する方法が考えられる。
【０００７】
しかしながら、上述の通知方法では、通知されたお勧め番組が本当にユーザーの好みに合致しているか否かを判断するには、ユーザーが実際にお勧め番組が放送されているチャンネルを選局し視聴してみなければならないという問題がある。また、手間がかかるという問題がある。
【０００８】
本発明は、上記事情に鑑み、番組を視聴中に別のチャンネルでお勧め番組が開始されたときに自動的に２画面表示を行う。そうして、２画面表示された番組のうちユーザーが選択した番組を１画面で視聴可能な映像受信装置及び番組推薦方法を提供することを目的とする。
【０００９】
以下、実施の形態とともに、本発明を説明する。
【００１０】
（実施の形態１）
図１は、本発明の実施の形態１にかかる映像受信装置の構成を示すブロック図である。映像受信装置１００は、番組情報蓄積部１０１と、視聴情報取得部１０２と、番組推薦部１０３と、画面制御部１０４と、画面表示部１０５及びリモコン１０６を備えている。
【００１１】
図１には記載されていないが、映像受信装置１００は複数のチューナーや、復調回路や、映像音声処理回路なども備えている。映像受信装置１００がデジタル放送対応であれば、一般に、ＴＳデコーダ、映像デコーダ、音声デコーダなども装備している。
【００１２】
チューナーは、受信するチャネルの周波数帯域に同調して所望の高周波信号を取り出し、その高周波信号に復調や誤り訂正などを施す。そうして、ＴＳストリーム（トランスポートストリーム）を出力する。このＴＳストリームは、ＴＳデコーダなどに供給される。
【００１３】
ＴＳデコーダは、ＴＳストリームをデコードし、ＴＳストリームを映像ストリームや音声ストリームやその他の付加データにデコードし分離する。映像デコーダは、ＴＳデコーダからの映像ストリームを基にして映像信号を復元する。音声デコーダは、ＴＳデコーダからの音声ストリームを基にして音声信号を復元する。映像デコーダで復元された映像信号は画面制御部１０４に供給される。チューナーは複数個備えられているので、画面制御部１０４に供給される映像信号は複数存在する。一方、ＴＳデコーダからの付加データの一部は、番組情報蓄積部１０１に供給される。
【００１４】
番組情報蓄積部１０１は番組情報蓄積手段の一例である。番組情報蓄積部１０１には、上述した通り、ＴＳデコーダからの付加データの少なくとも一部が供給されている。番組情報蓄積部１０１は、供給される付加データの中から、番組情報に関するデータの所望のものを蓄積する。番組情報に関するデータには、放送者、放送チャネル、放送時間、番組のタイトル、あらすじ、出演者の情報、キーワードなどがある。
【００１５】
視聴情報取得部１０２は視聴情報取得手段の一例である。視聴情報取得部１０２は、この映像受信装置１００が実際に受像した番組の番組情報に関するデータを蓄積する。この実際に受像した番組の番組情報に関するデータが視聴情報である。
【００１６】
番組推薦部１０３は番組推薦手段の一例である。番組推薦部１０３は、番組情報蓄積部１０１から番組情報を入手し、視聴情報取得部１０２から視聴情報を入手する。番組推薦部１０３は、視聴情報を所定のアルゴリズムで解析し、映像受信装置１００を使用しているユーザーの視聴履歴情報や嗜好情報を基にユーザー視聴好み等を推定する。そうして、番組推薦部１０３は、推定した視聴嗜好や好み等と番組情報蓄積部１０１からの番組情報とを比較し、ユーザーの視聴趣向や好みに合う番組をお勧め番組として特定する。
【００１７】
画面制御部１０４と画面表示部１０５が画面表示手段を構成している。画面制御部１０４と画面表示部１０５は画面表示手段の一構成例である。
【００１８】
既に説明した通り、画面制御部１０４には少なくとも２つの番組が供給されている。一方は、現在視聴している番組である。他方は、番組推薦部１０３で特定されたお勧め番組である。番組推薦部１０３がお勧め番組を特定した場合、現在視聴している番組を受信しているチューナーではないチューナーに対して、その勧め番組を受信するように制御する。そうして、画面制御部１０４は、現在視聴している番組とお勧め番組とを２画面表示するように制御したり、１画面表示に制御したりする。画面表示部１０５は、画面制御部１０４に制御されて、２画面表示や１画面表示を実行する。
【００１９】
リモコン１０６は、ユーザー入力手段の一例である。ユーザーはリモコン１０６を操作し、ユーザーの入力情報を画面表示手段に入力する。具体的には、この入力情報は画面制御部１０４に入力され、画面制御部１０４はこの入力情報に基づいて、お勧め番組又は視聴中番組の何れか一方の１画面表示に切り替える制御などを実行する。
【００２０】
尚、ユーザー入力手段はリモコン１０６に限られるものではない。例えば、映像受信装置１００に設けられた操作部をユーザーが操作することなども可能である。
【００２１】
このようにして、映像受信装置１００は、お勧め番組開始時には２つのチューナーを用いて自動的に２画面表示を行い、ユーザーにお勧め番組の開始を通知する。
【００２２】
図２は、映像受信装置の動作を示すフローチャートであり、図３は画面表示部１０５の画面表示例である。以降、図１、図２及び図３を用いて映像受信装置のお勧め番組通知処理について更に説明する。
【００２３】
上述した通り、まず、番組情報蓄積部１０１と視聴情報取得部１０２の情報が番組推薦部１０３に入力される。番組推薦部１０３は、所定のお勧め基準（ユーザーの視聴履歴情報や嗜好情報）に則って、入力された番組情報と視聴情報を評価して、お勧め番組が現在放送中か否か、或いはお勧め番組が所定時間以内に開始されるか否かを判断する。
【００２４】
お勧め番組が現在放送中である、または所定時間以内に開始される場合（Ｓ２０１）、お勧め番組が放送されるチャンネルを視聴中か否かが判断される（Ｓ２０２）。お勧め番組が放送されるチャンネルを視聴中の場合は（Ｓ２０２でＮｏ）、そのままお勧め番組通知処理が終了され、お勧め番組の視聴に移行される。
【００２５】
一方、お勧め番組が放送されるチャンネル以外を視聴中の場合は（Ｓ２０２でＹｅｓ）、画面制御部１０４は２画面処理を開始する（Ｓ２０３）。即ち、図３に示されるように、現在視聴中のチャンネルを左画面（親画面）３０１に、お勧め番組が放送されるチャンネルを右画面（子画面）３０２に表示した２画面表示に切り替えられる（Ｓ２０４）。それとともに、お勧め番組開始を通知するメッセージ３０３と、現在視聴中の番組を視聴するか、お勧め番組を視聴するかをリモコン１０６で選択するためのリモコン操作ガイド３０４が表示される（Ｓ２０５）。
【００２６】
ユーザーがリモコン１０６でお勧め番組視聴を選択した場合、すなわち、「決定」キーを押下した場合（Ｓ２０６でＹｅｓ）は、画面制御部１０４は画面を２画面から１画面に切り替えると共に、チャンネルをお勧め番組が放送されているチャンネルに切り替えて（Ｓ２０７）、お勧め番組の視聴に移行する。
【００２７】
ユーザーがリモコン１０６で視聴中番組視聴を選択した場合、すなわち、「戻る」キーを押下した場合（Ｓ２０６でＮｏ、Ｓ２０８でＹｅｓ）は、画面制御部１０４は画面を２画面から１画面に切り替えると共に、チャンネルを視聴中の番組が放送されているチャンネルに戻し（Ｓ２０９）、現在視聴中のチャンネルでの視聴を続行する。
【００２８】
ここで、２画面表示された状態で、所定時間、ユーザーから何も操作がない場合（Ｓ２０６でＮｏ、Ｓ２０８でＮｏ、Ｓ２１０でＹｅｓ）は、画面制御部１０４は画面を２画面から１画面に自動的に切り替えると共に、チャンネルを視聴中の番組が放送されているチャンネルに戻し（Ｓ２０９）、現在視聴中のチャンネルでの視聴を続行する。
【００２９】
尚、上述の説明では、２画面表示は、左画面（親画面）３０１と右画面（子画面）３０２との構成を挙げている。しかし、本発明は左右の２画面や親子画面に限られるものではない。上下２画面表示や、２画面重畳や、スーパーインポーズなどであっても構わない。
【００３０】
以上の説明で明らかな通り、本発明の映像受信装置及び番組推薦方法によれば、番組を視聴中に別のチャンネルでお勧め番組が開始されたときに、分かりやすく効果的にユーザーに通知することが可能である。
【産業上の利用可能性】
【００３１】
本発明の番組推薦機能を搭載した映像受信装置及び番組推薦方法は、番組を視聴中に別のチャンネルでお勧め番組が開始されたときに、分かりやすく効果的にユーザーに通知することが可能である。本発明の番組推薦機能を搭載した映像受信装置及び番組推薦方法は、番組情報を蓄積し、ユーザーの視聴履歴情報や嗜好情報を基にユーザーにお勧めの番組を提供する映像受信装置に有用である。
【図面の簡単な説明】
【００３２】
【図１】本発明の実施の形態に係る映像受信装置の構成を示すブロック図
【図２】本発明の実施の形態に係る映像受信装置の動作を示すフローチャート
【図３】本発明の実施の形態に係る画面表示部の画面表示例を示す図
【符号の説明】
【００３３】
１００  映像受信装置
１０１  番組情報蓄積部
１０２  視聴情報取得部
１０３  番組推薦部
１０４  画面制御部
１０５  画面表示部
１０６  リモコン
３０１  親画面
３０２  子画面
３０３  お勧め番組通知メッセージ
３０４  リモコン操作ガイド
【図１】
2007519289.tif 000003
【図２】
2007519289.tif 000004
【図３】
2007519289.tif 000005
【国際調査報告】
2007519289.tif 000006
2007519289.tif 000007